(57)【要約】【課題】座及び肘掛けの両方が跳ね上げ可能な、座及び肘掛け跳ね上げ式の椅子において、肘掛けを回動する手間を抑え、かつ簡素な構成により座の回動速度を減速する。【解決手段】座面３ａを有する座３と、肘載せ面５３ａを有する肘掛け５と、前記座３及び前記肘掛け５を支持する支持構造体１０と、を備え、前記座３は、前記座面３ａを上方に向けた座使用位置と、前記座使用位置に対して前部を上方に移動させた座跳ね上げ位置と、の間で回動可能であり、前記肘掛け５は、前記肘載せ面５３ａを上方に向けた肘掛け使用位置と、前記肘掛け使用位置に対して前部を上方に移動させた肘掛け跳ね上げ位置と、の間で回動可能であり、前記座３は、前記座使用位置から前記座跳ね上げ位置に回動する際に、前記肘掛け５に作用し、前記座３の回動に連動して前記肘掛け５を前記肘掛け跳ね上げ位置側へ回動させる駆動部３ｃを有している。【選択図】図１
2020028664.tif 000002
【特許請求の範囲】
【請求項１】
座面を有する座と、
肘載せ面を有する肘掛けと、
前記座及び前記肘掛けを支持する支持構造体と、
を備え、
前記座は、前記座面を上方に向けた座使用位置と、前記座使用位置に対して前部を上方に移動させた座跳ね上げ位置と、の間で第一軸線回りに回動可能であり、
前記肘掛けは、前記肘載せ面を上方に向けた肘掛け使用位置と、前記肘掛け使用位置に対して前部を上方に移動させた肘掛け跳ね上げ位置と、の間で第二軸線回りに回動可能であり、
前記座は、前記座使用位置から前記座跳ね上げ位置に回動する際に、前記肘掛け使用位置にある前記肘掛けに作用し、前記座の回動に連動して前記肘掛けを前記肘掛け跳ね上げ位置側へ回動させる駆動部を有する、椅子。
【請求項２】
前記座を前記座使用位置から前記座跳ね上げ位置へ回動させる向きに力を付勢する付勢部材と、前記付勢部材の付勢力に逆らって前記座の回動速度を減速する減速機構と、を備え、
前記減速機構は、前記肘掛けを含む、請求項１に記載の椅子。
【請求項３】
前記肘掛け跳ね上げ位置における前記肘掛けには、前記肘掛けの自重により前記肘掛けを前記肘掛け使用位置へ回動させる復帰方向の付勢力が作用し、
前記復帰方向の付勢力の大きさは、前記座跳ね上げ位置に付勢された前記座から受ける前記肘掛け跳ね上げ位置への付勢力の大きさと比べて同一又は小さい、請求項２に記載の椅子。
【請求項４】
前記減速機構の減速力は、前記肘掛けにおける自重及び前記第二軸線回りの摩擦力の少なくとも一方を含む、請求項２又は請求項３の何れか一項に記載の椅子。
【請求項５】
前記支持構造体は、設置面に設置される脚体と、前記脚体に支持される背凭れと、を備え、
前記脚体は、前記椅子の幅方向に離間して並ぶ一対の脚部材を備え、前記座は、前記一対の脚部材間に架設され、前記肘掛けは、前記一対の脚部材のそれぞれに支持されて一対配置されている、請求項１から４の何れか一項に記載の椅子。
【請求項６】
前記肘掛けは、前記座の前記駆動部に接触して前記座と前記肘掛けとを連動可能とする被駆動部を備え、
前記被駆動部は、前記駆動部の回動軌跡内に配置されている、請求項１から５の何れか一項に記載の椅子。
【請求項７】
前記座は、前記肘掛けに向かって突出する突出部を有し、前記突出部に前記駆動部が設けられる、請求項１から６の何れか一項に記載の椅子。
【請求項８】
前記突出部は、前記座の幅方向両端部における少なくとも一方から、前記幅方向の外側に向けて突出し、
前記座面における前記幅方向の外側には、前記突出部により前記幅方向の外側に張り出して形成された座面張出し部を有する、請求項７に記載の椅子。
【請求項９】
前記第一軸線および前記第二軸線は、前記椅子の幅方向に沿って延びる、請求項１から８の何れか一項に記載の椅子。
【発明の詳細な説明】
【技術分野】
【０００１】
本発明は、椅子に関するものである。
【背景技術】
【０００２】
従来、劇場やホール、スタジアム等に設置される椅子において、座や肘掛けが回動する跳ね上げ式の椅子が提案されている。
【０００３】
例えば特許文献１には、左右方向を向く座支持軸により、両側脚間に配置された座を、ほぼ水平の使用位置と、上向きの不使用位置と、に回動可能に支持する座跳ね上げ式の椅子が開示されている。座支持軸に設けられたねじりコイルばねにより、座は常時上向きに付勢されている。
【０００４】
一方、特許文献２には、脚部と、座と、背凭れと、左右一対の可動式肘掛けと、を有する肘掛け跳ね上げ式の椅子が開示されている。可動式肘掛けは、肘掛けの先端が前方を向く状態と、肘掛けの先端が上方を向く状態と、の間で回動可能とされている。
【先行技術文献】
【特許文献】
【０００５】
【特許文献１】特許第５２６０１８１号公報
【特許文献２】実用新案登録第３２１５２４３号公報
【発明の概要】
【発明が解決しようとする課題】
【０００６】
ところで、特許文献１及び特許文献２に記載の技術を組み合わせることで、座及び肘掛けの両方が回動可能な座及び肘掛け跳ね上げ式の椅子が考えられる。
しかしながら、例えば講堂やホール等に複数の椅子が設置される場合、通路の空間を確保するために多数の肘掛けを先端部が上方を向く状態まで戻す作業が必要となり、作業者の手間が増加するおそれがある。
【０００７】
そこで、本発明は、座及び肘掛けの両方が跳ね上げ可能な、座及び肘掛け跳ね上げ式の椅子において、肘掛けを回動する手間を抑えた椅子を提供することを目的とする。
【課題を解決するための手段】
【０００８】
上記課題の解決手段として、本発明は、座面を有する座と、肘載せ面を有する肘掛けと、前記座及び前記肘掛けを支持する支持構造体と、を備え、前記座は、前記座面を上方に向けた座使用位置と、前記座使用位置に対して前部を上方に移動させた座跳ね上げ位置と、の間で第一軸線回りに回動可能であり、前記肘掛けは、前記肘載せ面を上方に向けた肘掛け使用位置と、前記肘掛け使用位置に対して前部を上方に移動させた肘掛け跳ね上げ位置と、の間で第二軸線回りに回動可能であり、前記座は、前記座使用位置から前記座跳ね上げ位置に回動する際に、前記肘掛け使用位置にある前記肘掛けに作用し、前記座の回動に連動して前記肘掛けを前記肘掛け跳ね上げ位置側へ回動させる駆動部を有する、椅子を提供する。
【０００９】
この構成によれば、座及び肘掛けはそれぞれ使用位置から跳ね上げ位置まで回動可能に構成され、座には駆動部が設けられているので、座は、座使用位置から座跳ね上げ位置へ向かって回動する動作中における少なくとも一部で、肘掛け使用位置にある肘掛けに接触して押し上げる等の作用を及ぼす。これにより、肘掛け使用位置にある肘掛けには、座からの作用を受けることにより肘掛け跳ね上げ位置へ回動する向きの力が働くので、座の回動に伴い肘掛けを回動させることができる。このように、肘掛けは、座の回動と連動して肘掛け跳ね上げ位置まで回動されるので、肘掛けと座とをそれぞれ別個に回動させる場合と比較して、肘掛けを肘掛け跳ね上げ位置まで引き起こす手間が省ける。また、座及び肘掛けがこれらと別体の部品を介さず直接的に作用し合う構成であれば、座及び肘掛けにより連動機構を構成できるので、連動機構として他の部品を設ける必要がなく、部品点数を削減できるとともに、組み立てにかかるコストを低減できる。
したがって、本構成によれば、座及び肘掛けの両方が跳ね上げ可能な、座及び肘掛け跳ね上げ式の椅子において、簡素な構成により、肘掛けを回動する手間を抑えた椅子を提供することができる。
【００１０】
本発明において、前記座を前記座使用位置から前記座跳ね上げ位置へ回動させる向きに力を付勢する付勢部材と、前記付勢部材の付勢力に逆らって前記座の回動速度を減速する減速機構と、を備え、前記減速機構は、前記肘掛けを含む構成としてもよい。
【００１１】
この構成によれば、座を座使用位置から座跳ね上げ位置へ回動させる向きに力を付勢する付勢部材を備えるので、着座者が座から離れると、座は付勢部材の付勢力により自動で座跳ね上げ位置へ移動する。これにより、座を座跳ね上げ位置まで引き起こす手間が省ける。また、付勢部材の付勢力に逆らって座の回動速度を減速する減速機構を備えるので、座には、座跳ね上げ位置への回動方向と反対向きの力が働く。これにより、座の回動速度が加速するのを抑制し、座の回動速度を減速させることができる。そして、減速機構は肘掛けを含むので、肘掛けから座に直接減速力を付与することが可能となる。すなわち、座は、回動の途中で肘掛けに作用するとともに肘掛けからの反力を受けることで、回動速度が減速される。このとき、座及び肘掛けが別部品を介さず直接作用し合う構成であれば、減速機構として他の部品を設ける必要がなく、部品点数を削減できるとともに、組み立てにかかるコストを低減できる。
また、肘掛けが、座の回動と連動して跳ね上げ位置まで回動する構成であれば、着座者が椅子から離れるだけで、座及び肘掛けの両方を自動で跳ね上げ位置まで戻すことができる。
したがって、本構成によれば、簡素な構成により座の回動速度を減速可能とし、かつ、座及び肘掛けを戻す手間を抑えた椅子を提供することができる。
【００１２】
本発明において、前記肘掛け跳ね上げ位置における前記肘掛けには、前記肘掛けの自重により前記肘掛けを前記肘掛け使用位置へ回動させる復帰方向の付勢力が作用し、前記復帰方向の付勢力の大きさは、前記座跳ね上げ位置に付勢された前記座から受ける前記肘掛け跳ね上げ位置への付勢力の大きさと比べて同一又は小さい構成としてもよい。
【００１３】
この構成によれば、肘掛け跳ね上げ位置にある肘掛けには、自重により前記肘掛けを前記肘掛け使用位置へ回動させる復帰方向の付勢力が作用している。これにより、座を座使用位置へ引き下げるだけで、肘掛けの自重により肘掛けを自動で肘掛け使用位置まで回動させることができる。このように、肘掛けは、座の回動と連動して肘掛け使用位置まで回動されるので、肘掛けと座とをそれぞれ別個に回動させる場合と比較して、肘掛けを肘掛け使用位置まで引き下げる手間を省くことができる。
また、肘掛けの復帰方向の付勢力の大きさは、座から受ける肘掛け跳ね上げ位置への付勢力の大きさと比べて同一又は小さいとされているので、肘掛け及び座が跳ね上げ位置にあるとき、肘掛けの自重により肘掛けが意図せずに使用位置へ回動してしまうことがない。よって、座を座跳ね上げ位置へ回動させるだけで、座及び肘掛けを跳ね上げ位置の状態に維持することができる。
したがって、肘掛けを引き下げる手間を抑えた椅子を提供することができる。
【００１４】
本発明において、前記減速機構の減速力は、前記肘掛けにおける自重及び前記第二軸線回りの摩擦力の少なくとも一方を含む構成としてもよい。
【００１５】
この構成によれば、肘掛けには、自重及び第二軸線回りの摩擦力が働くので、座が肘掛けに作用した際に、座及び肘掛けには、回動方向に逆らう向きの力が作用する。これにより、座が座跳ね上げ位置へ向かって加速することを抑制し、効果的に座の回動速度を減速させることができる。また、複雑な構成を用いずに回動に対向する向きの力を発生させることができるので、減速機構を簡素化できる。
したがって、簡素な構成により優れた減速機構を備えた椅子を提供することができる。
【００１６】
本発明において、前記支持構造体は、設置面に設置される脚体と、前記脚体に支持される背凭れと、を備え、前記脚体は、前記椅子の幅方向に離間して並ぶ一対の脚部材を備え、前記座は、前記一対の脚部材間に架設され、前記肘掛けは、前記一対の脚部材のそれぞれに支持されて一対配置されている構成としてもよい。
【００１７】
この構成によれば、肘掛けは、座の幅方向外側に設けられた一対の脚部材のそれぞれに支持されて一対配置されているので、座の幅方向における両端部が肘掛けに作用する。これにより、座と肘掛けとを確実に作用させるとともに、座の回動速度を効果的に減速できる。
【００１８】
本発明において、前記肘掛けは、前記座の前記駆動部に接触して前記座と前記肘掛けとを連動可能とする被駆動部を備え、前記被駆動部は、前記駆動部の回動軌跡内に配置されている構成としてもよい。
【００１９】
この構成によれば、肘掛けは駆動部と接触する被駆動部を備えるので、肘掛けは、座の駆動部と接触することにより、座と連動して肘掛け跳ね上げ位置へ移動する。これにより、肘掛けを跳ね上げ位置まで引き起こす手間が省ける。
また、被駆動部は、座の回動軌跡内に配置されているので、肘掛けと座とを確実に当接させることができる。したがって、肘掛けに確実に作用する、安定的な連動機構とすることができる。
【００２０】
本発明において、前記座は、前記肘掛けに向かって突出する突出部を有し、前記突出部に前記駆動部が設けられる構成としてもよい。
【００２１】
この構成によれば、座の突出部に駆動部が設けられるので、座と肘掛けとをより確実に当接させることができる。また、座に設けられた突出部及び肘掛けによって減速作用を奏することができるので、簡素な構成により座の回動速度を減速する減速機構を備えた椅子とすることができる。
【００２２】
本発明において、前記突出部は、前記座の幅方向両端部における少なくとも一方から、前記幅方向の外側に向けて突出し、前記座面における前記幅方向の外側には、前記突出部により前記幅方向の外側に張り出して形成された座面張出し部を有する構成としてもよい。
【００２３】
この構成によれば、座は、幅方向に張り出した突出部に駆動部を有するので、駆動部と肘掛けとを確実に当接させて、座の回動速度を減速できる。また、座面の幅方向外側に座面張出し部を有するので、座面に凹凸等が生じることがなく、着座感を良好に保つことができる。さらに、座（座面）の幅方向の長さが拡張されるので、使用者の着座面積を増やすことができ、着座感を一層良好にすることができる。
【００２４】
本発明において、前記第一軸線および前記第二軸線は、前記椅子の幅方向に沿って延びる構成としてもよい。
【００２５】
この構成によれば、第一軸線と第二軸線とが略平行となり、跳ね上げ式の座の回動方向と肘掛けの回動方向とが略同一となるので、座の回動による作用力を肘掛けに効率的に連動させることができる。したがって、優れた連動作用を奏することができる椅子とすることができる。
【発明の効果】
【００２６】
本発明によれば、座及び肘掛けの両方が跳ね上げ可能な、座及び肘掛け跳ね上げ式の椅子において、簡素な構成により座の回動速度を減速可能とし、かつ肘掛けを回動する手間を抑えた椅子を提供することができる。
【図面の簡単な説明】
【００２７】
【図１】本発明の実施形態における椅子の外観斜視図である。
【図２】上記椅子の平面図である。
【図３】上記椅子の正面図である。
【図４】上記椅子の側面図である。
【図５】上記椅子の背面図である。
【図６】座が座跳ね上げ位置にあるときの上記椅子の平面図である。
【図７】座が座跳ね上げ位置にあるときの上記椅子の正面図である。
【図８】座が座跳ね上げ位置にあるときの上記椅子の側面図である。
【図９】上記椅子の回動機構の斜視図である。
【図１０】第１変形例における上記椅子の側面図である。
【図１１】第２変形例における上記椅子の側面図である。
【発明を実施するための形態】
【００２８】
以下、本発明の実施形態について図面を参照して説明する。なお、以下の説明において、前後上下左右等の向きは、水平な床面（設置面）Ｆ上に設置された状態の椅子１において、正規姿勢で着座した着座者の正面側を「前」、その逆側を「後」とし、上下左右も着座者から見た向きと同一とする。また、図中において、矢印ＵＰは上方を示し、矢印ＦＲは前方を示し、矢印ＬＨは左方を示している。
【００２９】
図１〜図５は、着座者が着座したときの椅子１の状態を示している。図６〜図８は、着座者が離席したときの椅子１の状態を示している。
図１及び図４に示すように、本実施形態の椅子１は、座３と、肘掛け５と、座３及び肘掛け５を支持する支持構造体１０と、を備えている。支持構造体１０は、脚体２と、背凭れ４と、座回動機構６と、を備えている。また、椅子１は、減速機構１１を有する。
【００３０】
脚体２は、設置面Ｆに設置され、椅子１の幅方向（左右方向）に離間して一対配置されている。脚体２は、前脚２０（請求項の脚部材２０）と、前脚２０の前後方向後方に離間して配置された後脚２５（請求項の脚部材２５）と、支持部材７と、フランジ支持体６２（図９参照）と、座回転軸６１（図９参照）と、を備えている。
【００３１】
前脚２０は、前脚本体２１と、前脚カバー２２と、前脚連結部材２３と、を備える。
前脚本体２１は、設置面Ｆに対して略垂直に延びて上方に起立する起立部２１ａと、起立部２１ａの下端から前後方向に沿って前方に延びる並行部２１ｂと、起立部２１ａの上端に設けられた前脚屈曲部２１ｃと、前脚屈曲部２１ｃの上端に設けられた前脚後傾部２１ｄと、を有する。起立部２１ａの下端は並行部２１ｂに連結し、起立部２１ａと並行部２１ｂとが側面から見てＬ字状に形成されている。前脚屈曲部２１ｃは、起立部２１ａの上端に設けられ、前方に向かって凸となるように屈曲している。前脚後傾部２１ｄは、前脚屈曲部２１ｃの上端に設けられ、下方から上方へ延びるにしたがい後脚２５側に位置するように後傾して直線状に延びている。前脚本体２１は、例えば角鋼管を曲げることにより一体として形成されている。
前脚カバー２２は、例えば合成樹脂や不織布等のパッド部材である。前脚カバー２２は、並行部２１ｂと設置面Ｆとの間で、並行部２１ｂに沿って前後方向に延在している。換言すれば、前脚本体２１は、前脚カバー２２を介して設置面Ｆに当接している。なお、前脚カバー２２はなくてもよい。
前脚連結部材２３は、前脚後傾部２１ｄの上端に接続され、前脚後傾部２１ｄと略平行に延びている。前脚連結部材２３の上端には、後述する肘掛け５を枢支するための枢軸挿通部２９が形成されている。枢軸挿通部２９には、例えば幅方向に沿って貫通した不図示の孔が形成されている。なお、枢軸挿通部２９には、幅方向に貫通しない穴又は陥凹部が形成されていてもよい。
【００３２】
前脚２０は、椅子１における左右方向の最外側に配置されている。前脚２０は、複数の椅子１が左右方向に隣接して配列されたときに、隣り合う椅子１の前脚２０と隙間なく当接可能である。
【００３３】
後脚２５は、後脚本体２６と、後脚カバー２７と、後脚連結部材２８と、を備える。
後脚本体２６は、上方へ延びるにしたがい前脚２０側に位置するように前傾して直線状に延びている。後脚本体２６は、例えば角鋼管で形成されている。後脚本体２６は、幅方向において、前脚２０の内側面２１ａａよりも内側に位置している（図３も参照）。これにより、複数の椅子１が入れ子状に前後方向にスタッキングされたとき（重ね合わされたとき）に、後脚２５が後方の椅子１の前脚２０の間に入り込み、前後方向に複数の椅子１が間隔を詰めて重ねられる。
後脚カバー２７は、例えば合成樹脂や不織布等のパッド部材である。後脚カバー２７は、後脚本体２６の下端部２６ａと設置面Ｆとの間に設けられている。換言すれば、後脚本体２６は、後脚カバー２７を介して設置面Ｆに当接している。なお、後脚カバー２７はなくてもよい。
後脚連結部材２８は、後脚本体２６の上端に接続されている（図４も参照）。後脚連結部材２８は、側面から見て、前脚２０よりも後方の位置で、後方に向かって屈曲している。後脚連結部材２８の上端は、側面から見て前脚２０の前脚連結部材２３と略平行に延びている。また、図５に示すように、後脚連結部材２８は、後方に向かって屈曲する部分で後脚連結部材２８の外側面を後方に向けるように捩れつつ、幅方向の外側に変位している。これにより、後脚連結部材２８は、正面から見て前脚２０と重なるように形成されている。
【００３４】
脚部材２０，２５の上下中間部の間は、幅方向と直交する板状をなす支持部材７を介して連結されている。本願における「中間」とは、対象部品の両端間の中央に限らず、両端間の内側にある部位を含む。椅子１が椅子設置面Ｆ上に起立するとき、椅子１の前後方向は椅子１の奥行方向となる。前後方向前方は奥行方向手前側に相当し、前後方向後方は奥行方向奥側に相当する。左右の支持部材７は、座３の左右および背凭れ４の左右側部を支持する部材である。
【００３５】
脚体２は、上述したように、前脚カバー２２及び後脚カバー２７を介して設置面Ｆに当接している。座３、背凭れ４、及び肘掛け５は、左右の脚体２に支持されている。また、脚体２は、着座者がいるときには着座者の体重を支える。
【００３６】
図９は、椅子１の左前方から見たときの、椅子１の右側部分を示す斜視図である。なお、フランジ支持体６２、座回転軸６１、及び座フレーム６５は左右対称に構成されているので、図９に示す部分と対象となる部分が左側にも設けられている。また、説明のために一部の部品が省略されている。
フランジ支持体６２及び座回転軸６１は、後述する座３を支持及び回動させるために脚体２に設けられた部材である。フランジ支持体６２は、脚体２における前脚２０と後脚２５との間に位置する支持部材７の幅方向内側の面に取り付けられ、左右に一対配置されている。フランジ支持体６２は、円筒部６２ａと、円筒部６２ａの幅方向外側を閉塞する底部６２ｂと、底部６２ｂから円筒部６２ａの軸線方向と直交する径方向の外側に延びるフランジ部６２ｃと、を有する有底円筒状に形成されている。フランジ支持体６２は、円筒部６２ａの軸線が幅方向に沿うようにして、開口側を幅方向の内側に向けて配置されている。
【００３７】
座回転軸６１は、フランジ支持体６２の円筒部６２ａの軸線方向と同軸となるように、脚体２の幅方向に沿って延在している。座回転軸６１には、フランジ６３と、第一ギヤ６４と、が設けられている。
フランジ６３は、座回転軸６１の両端部に設けられている。座回転軸６１及びフランジ６３は、幅方向において椅子１の内側からフランジ支持体６２の円筒部６２ａの内部に挿入され、円筒部６２ａ内部の底部６２ｂと、フランジ６３と、が接続されている。これにより、座回転軸６１は、脚体２に対して回転不能に固定されている。
また、座回転軸６１は、第一ギヤ６４を有する。第一ギヤ６４は、外周縁の一部にギヤ部６４ａを有する。第一ギヤ６４は、左右に一対配置され、座回転軸６１に対して回転不能に取り付けられている。
【００３８】
座３（図１参照）は、一対の脚体２の間に架設されている。座３は、着座者が着座する座面３ａを有する。座３は、幅方向に沿う第一軸線Ｃ１を回転中心として、脚体２に対して回動可能に支持されている。座３は、座面３ａを上方に向けた座使用位置ＰＺ１（図４参照）と、座使用位置ＰＺ１に対して前部３ｅを上方に移動させた座跳ね上げ位置ＰＺ２（図８参照）と、の間で第一軸線Ｃ１回りに回動可能とされている。
【００３９】
図１及び図２に示すように、座３は、座面３ａを有する座本体３３と、座本体３３から幅方向外側に突出する突出部３ｂと、を有する。
座本体３３は、座フレーム６５と、不図示のクッション支持部材を介して座フレーム６５に取り付けられるクッション材３０と、表皮材３１と、を備える。
【００４０】
図９に示すように、座フレーム６５は、フランジ支持体６２よりも幅方向の内側において、左右に一対配置されている。なお、以降の説明では、座３が座使用位置ＰＺ１にある状態における座フレーム６５について説明する。座フレーム６５は、座フレーム枢支部６５ａと、座回転軸６１と交差する部位に設けられた付勢機構収容部６５ｖと、座使用位置ＰＺ１において付勢機構収容部６５ｖから前方に向かって延びる座フレーム本体６５ｂと、を有する。
座フレーム枢支部６５ａは、フランジ支持体６２の円筒部６２ａと同軸に配置された半円筒状で、幅方向外側の一端部が、円筒部６２ａの内周面に回転可能に取り付けられている。座フレーム枢支部６５ａの幅方向内側の他端部は、付勢機構収容部６５ｖと軸線Ｃ１回りに回転不能に接続されている。
【００４１】
付勢機構収容部６５ｖは、上方に開口を有し、座回転軸６１に直交する前後方向に延びる箱状に形成されている。付勢機構収容部６５ｖの幅方向外側の側面は、座フレーム枢支部６５ａの他端部と軸線Ｃ１回りに回転不能に接続されている。
付勢機構収容部６５ｖは、座回転軸６１と交差する部位に、座回転軸６１と同軸になるようにＵ字状に切り欠いた回避部６５ｃを有する。回避部６５ｃは、座回転軸６１を収容する十分な深さを有し、幅方向に沿って貫通している。回避部６５ｃの内径は、座回転軸６１の外径よりも大きく、回避部６５ｃの内部には、座回転軸６１が非接触に貫通している。回避部６５ｃの間には、座回転軸６１に固定された第一ギヤ６４が配置されている。また、付勢機構収容部６５ｖは、回避部６５ｃの後方に軸固定孔６５ｄを有する。軸固定孔６５ｄは、幅方向に沿って付勢機構収容部６５ｖを貫通している。
【００４２】
付勢機構収容部６５ｖは、内部に付勢機構１６を有する。付勢機構１６は、軸部材６７と、付勢部材６６と、第二ギヤ６８と、座回転軸６１に取り付けられた第一ギヤ６４と、を備える。
軸部材６７は、軸固定孔６５ｄに挿入され、座回転軸６１と平行に延設されている。軸部材６７は、付勢機構収容部６５ｖに対して回転可能に軸支されている。
付勢部材６６は、座３を座使用位置ＰＺ１から座跳ね上げ位置ＰＺ２へ回動させる向きに付勢する渦巻ばね６６である。渦巻ばね６６は、側面から見て、軸部材６７を中心とした渦巻状に構成されている。渦巻ばね６６の径方向内側端部は、軸部材６７に固定されている。渦巻ばね６６の径方向外側端部は、付勢機構収容部６５ｖの内壁に固定されている。渦巻ばね６６は、座３が座跳ね上げ位置ＰＺ２にあるときに、初期付勢力が座使用位置ＰＺ１から座跳ね上げ位置ＰＺ２に回転する向きに作用している。
第二ギヤ６８は、渦巻ばね６６よりも幅方向内側に配置され、径方向の中心部が軸部材６７に回転不能に固定されている。第二ギヤ６８は、外周部にギヤ部６８ａを有する。第二ギヤ６８のギヤ部６８ａと、第一ギヤ６４のギヤ部６４ａと、が噛合している。
【００４３】
座フレーム本体６５ｂは、正面視において開口を上方に向けたコの字状の断面を有し、付勢機構収容部６５ｖの前端部から前方に向かって延設されている。座フレーム本体６５ｂには、両側の座フレーム本体６５ｂに亘って架設される不図示のクッション支持部材を介して、クッション材３０（図１参照）が取り付けられている。クッション材３０は、クッション材３０を包むようにして表皮材３１で覆われている。
【００４４】
突出部３ｂは、座３における前後方向前方で、肘掛け内側面５３ｃよりも幅方向外側に向けて突出している。突出部３ｂは、座本体３３と一体に形成されている。突出部３ｂの上面３ｄ（請求項の座面張出し部３ｄ）は、座本体３３の座面３ａから延びるようにして形成されている。換言すれば、突出部３ｂの上面３ｄは、座本体３３の座面３ａとともに着座者が着座する面を構成している。
【００４５】
また、座３は、座使用位置ＰＺ１から座跳ね上げ位置ＰＺ２に回動する際に、肘掛け使用位置ＰＨ１にある肘掛け５に当接する駆動部３ｃを有する。本実施形態では、突出部３ｂの回動軌跡内に肘掛け５が配置されていて、座３の回動によって突出部３ｂの上面３ｄの一部が肘掛け５に当接する。すなわち、突出部３ｂの上面３ｄの一部は、駆動部３ｃとして機能する。
【００４６】
図４に戻って、背凭れ４は、支持部材７に固定されており、座３よりも上方にて脚体２に支持されている。背凭れ４は、着座者がいるときには着座者の背中を後方から支える。
【００４７】
肘掛け５は、着座者の腕を支えるものであり、被枢支部５１と、肘掛け本体部５３と、を備え、左右に一対配置されている。
被枢支部５１は、第二枢軸４２を有する。第二枢軸４２は、中心軸として幅方向と平行な第二軸線Ｃ２を有する。第二枢軸４２は、前脚連結部材２３の上端に設けられた枢軸挿通部２９に挿入されている。これにより、被枢支部５１は、枢軸挿通部２９に対して第二枢軸４２回りに回転可能とされている。肘掛け５が回転する際、被枢支部５１の第二枢軸４２には、枢軸挿通部２９との間で回転摩擦力が働いている。枢軸挿通部２９は、肘掛け５の下方及び上方への回動速度を減速する不図示のダンパーを備えている。
肘掛け本体部５３は、被枢支部５１から椅子１の前方側に延設されている。すなわち、肘掛け本体部５３の前部５３ｅは、被枢支部５１よりも前方に位置している。肘掛け５には、自重により常に下方向きの力が働いている。肘掛け本体部５３は、肘掛け上面５３ａと、肘掛け下面５３ｂと、幅方向内側に面する肘掛け内側面５３ｃと、幅方向外側に面する肘掛け外側面５３ｄと、を有する。肘掛け上面５３ａは、着座者の腕を載せる肘載せ面５３ａとされている。肘掛け下面５３ｂは、被駆動部５３ｂとされている。被駆動部５３ｂは、側面から見て上方に凸となるような緩やかな弧状に形成されている。被駆動部５３ｂは、座３の駆動部３ｃの回動軌跡内に配置されている。被駆動部５３ｂは、座３が座使用位置ＰＺ１から座跳ね上げ位置ＰＺ２まで回動する際に、座３の駆動部３ｃが当接することで、座３と肘掛け５とが連動可能とされている。
【００４８】
肘掛け５は、全体として、脚体２の上端から前方に向けて延設されており、かつ座回動機構６よりも上方に配置されている。肘掛け５は、一対の脚体２のそれぞれに支持されて一対配置されている。肘掛け５は、肘載せ面５３ａを上方に向けた肘掛け使用位置ＰＨ１と、肘掛け使用位置ＰＨ１に対して肘掛け５の前部５３ｅを上方に移動させた肘掛け跳ね上げ位置ＰＨ２と、の間で第二軸線Ｃ２回りに回動可能に構成されている。
また、肘掛け５は、座３の駆動部３ｃに当接することにより座３の回動速度を減速させる減速機構１１とされている。具体的に、肘掛け５の自重、第二枢軸４２回りの回転摩擦力、及びダンパーが減速力として作用する。すなわち、椅子１の減速機構１１は、肘掛け５を含んでいる。
また、肘掛け使用位置ＰＨ１よりも上方に位置するときの肘掛け５には、肘掛け５の自重により肘掛け５を肘掛け使用位置ＰＨ１へ回動させる復帰方向の付勢力が作用している。この肘掛け５の復帰方向の付勢力の大きさは、座３から受ける肘掛け跳ね上げ位置ＰＨ２への付勢力の大きさと比べて同一又は小さいとされている。
【００４９】
次に、上述した椅子１の作用について説明する。
着座者が椅子１を使用する前の状態において、座３は、渦巻ばね６６の付勢力により座跳ね上げ位置ＰＺ２に位置している。また、肘掛け５は、座３に当接して上方に付勢されることにより、肘掛け跳ね上げ位置ＰＨ２に位置している。換言すれば、座跳ね上げ位置ＰＺ２における座３の渦巻ばね６６による付勢力と、肘掛け跳ね上げ位置ＰＨ２における肘掛け５の自重による肘掛け使用位置ＰＨ１への復帰方向の付勢力と、が釣り合っている。また、このとき、肘掛け５の前部５３ｅは、座３の前部３ｅよりも後方に位置している。
着座者が椅子１に着座するとき、着座者はまず、座回動機構６の付勢部材６６の付勢力に逆らって座３を座使用位置ＰＺ１まで引き下げる。座３が引き下げられると、肘掛け５は、自重により肘掛け使用位置ＰＨ１へ回動する。着座者が座３に着座すると、着座者の体重により座３が座使用位置ＰＺ１に留まるので、着座者は安定的に椅子１に着座することができる。また、着座者は肘掛け使用位置ＰＨ１にある肘掛け５を使用できる。
【００５０】
次に、着座者が座面３ａから離れると、座３には、コイルばね６６の付勢力により座跳ね上げ位置ＰＺ２へ戻る方向の力が働くので、座３は、座使用位置ＰＺ１から座跳ね上げ位置ＰＺ２へ向かって自動で回動する。そして、座３は、座使用位置ＰＺ１から座跳ね上げ位置ＰＺ２まで回動する間で肘掛け５に当接する。座３が肘掛け５に当接した後、座３の駆動部３ｃが肘掛け５の被駆動部５３ｂに沿って滑るように移動しながら、座３及び肘掛け５が連動して跳ね上げ位置ＰＺ２，ＰＨ２まで回動する。このとき、肘掛け下面５３ｂ（すなわち被駆動部５３ｂ）は、側面から見て上方に凸となるような緩やかな弧状に形成されているので、座３の回動中心から被駆動部５３ｂまでの距離が、座３の回動角度によらずほぼ均一となる。これにより、肘掛け下面５３ｂが側面から見て直線状に形成されている場合等と比較して、座３が肘掛け５から受ける力の向きや大きさが回動中ほぼ一定に保たれるので、座３の回動が阻害されにくい。したがって、座３と肘掛け５とを滑らかに連動させることができる。
【００５１】
ここで、座３は突出部３ｂを有し、突出部３ｂの上面３ｄが駆動部３ｃとして機能するとともに、肘掛け使用位置ＰＨ１において肘掛け５の被駆動部５３ｂは座３の駆動部３ｃの回動軌跡内に配置されている。ここでいう駆動部３ｃの回動軌跡とは、座３が座使用位置ＰＺ１から座跳ね上げ位置ＰＺ２まで回動する間に、駆動部３ｃが通過する空間全体を含む３次元の空間領域である。肘掛け５は、この駆動部３ｃの回動軌跡内に配置されているので、座３は、座使用位置ＰＺ１から座跳ね上げ位置ＰＺ２へ向かって回動する動作中における少なくとも一部で、肘掛け使用位置ＰＨ１にある肘掛け５に当接する。すなわち、座３は、座３の回動軌跡の少なくとも途中の一部で肘掛け５に当接する。これにより、座３には、肘掛け５からの反力により、座跳ね上げ位置ＰＺ２への回動方向と反対向きの力が働く。よって、座３の回動速度が加速するのを抑制し、座３の回動速度を減速させることができる。
肘掛け５から座３に直接減速力を付与している。すなわち、座３は、回動の途中で肘掛け５に作用するとともに肘掛け５からの反力を受けることで、回動速度が減速される。このように、座３及び肘掛け５が別部品を介さず直接作用し合う構成であるので、減速機構１１として他の部品を設ける必要がなく、部品点数を削減できるとともに、組み立てにかかるコストを低減できる。
【００５２】
一方、肘掛け跳ね上げ位置ＰＨ２にある肘掛け５には、自重による下方向きの力、すなわち肘掛け使用位置ＰＨ１への復帰方向の付勢力が働いている。これにより、座３を座使用位置ＰＺ１へ引き下げるだけで、肘掛け５の自重により肘掛け５を自動で肘掛け使用位置ＰＨ１まで回動させることができる。このように、肘掛け５は、座３の回動と連動して肘掛け使用位置ＰＨ１まで回動されるので、肘掛け５と座３とをそれぞれ別個に回動させる場合と比較して、肘掛け５を肘掛け使用位置ＰＨ１まで引き下げる手間を省くことができる。
また、肘掛けの復帰方向の付勢力の大きさは、座から受ける肘掛け跳ね上げ位置への付勢力の大きさと比べて同一又は小さいとされているので、肘掛け５及び座３が跳ね上げ位置ＰＨ２，ＰＺ２にあるとき、肘掛け５の自重により肘掛け５が意図せずに肘掛け使用位置ＰＨ１へ回動してしまうことがない。よって、座３を座跳ね上げ位置ＰＺ２へ回動させるだけで、座３及び肘掛け５を跳ね上げ位置ＰＺ２，ＰＨ２の状態に維持することができる。
したがって、肘掛け５を引き下げる手間を抑えた椅子１を提供することができる。
【００５３】
さらに、肘掛け使用位置ＰＨ１よりも上方に位置するときの肘掛け５には、肘掛け使用位置ＰＨ１への復帰方向の付勢力が作用しているので、無負荷状態において肘掛け５が肘掛け使用位置ＰＨ１以外の途中地点で止まることがない。これにより、例えばテーブル等の天板付き什器の下方に椅子１を収容する際に、途中地点に位置する肘掛け５の前部５３ｅと天板とが当接することによる肘掛け５と天板との双方の破損を抑制できる。また、これにより、肘掛け上面５３ａの高さ位置が常に天板の下方に潜り込むような高さ位置に設計する必要がなく、椅子１の設計の自由度を向上できる。
【００５４】
本構成によれば、枢軸挿通部２９はダンパーを備えるので、肘掛け５が勢いよく下方へ回動し、被枢支部５１に大きな衝撃力がかかるのを抑制することができる。
また、着座者が離席した際には、肘掛け５の被駆動部５３ｂに座３の駆動部３ｃが接触することにより、肘掛け５に上方向きの力が働く。これにより、肘掛け５は、肘掛け使用位置ＰＨ１から肘掛け跳ね上げ位置ＰＨ２へ回動する。このように、肘掛け５は、座３の回動と連動して肘掛け跳ね上げ位置ＰＨ２まで回動されるので、肘掛け５と座３とをそれぞれ別個に回動させる場合と比較して、肘掛け５を肘掛け跳ね上げ位置ＰＨ２まで引き起こす手間を省くことができる。また、座３及び肘掛け５がこれらと別体の部品を介さず直接的に当接することで、座３及び肘掛け５により連動機構を構成できるので、連動機構として他の部品を設ける必要がない。よって、部品点数を削減できるとともに、組み立てにかかるコストを低減できる。
したがって、座３及び肘掛け５の両方が跳ね上げ可能な、座３及び肘掛け５跳ね上げ式の椅子１において、簡素な構成により、肘掛け５を回動する手間を抑えた椅子１を提供することができる。
【００５５】
特に、座３が付勢部材６６を備える場合、着座者が椅子１から離れるだけで、座３及び肘掛け５の両方を自動で跳ね上げ位置ＰＺ２，ＰＨ２まで戻すことができる。これにより、座３を座跳ね上げ位置ＰＺ２まで引き起こす手間が省ける。また、付勢部材６６の付勢力に逆らって座３の回動速度を減速する減速機構１１を備えるので、座３には、座跳ね上げ位置ＰＺ２への回動方向と反対向きの力が働く。これにより、座３の回動速度が加速するのを抑制し、座３の回動速度を減速させることができる。そして、減速機構１１は肘掛け５を含むので、肘掛け５から座３に直接減速力を付与することが可能となる。すなわち、座３は、回動の途中で肘掛け５に作用するとともに肘掛け５からの反力を受けることで、回動速度が減速される。このとき、座３及び肘掛け５が別部品を介さず直接作用し合う構成であるので、減速機構１１として他の部品を設ける必要がなく、部品点数を削減できるとともに、組み立てにかかるコストを低減できる。
したがって、本構成によれば、簡素な構成により座３の回動速度を減速可能とし、かつ、座３及び肘掛け５を回動する手間を抑えた椅子１を提供することができる。
【００５６】
座３が肘掛け５に当接すると、座３及び肘掛け５には、肘掛け５の自重、肘掛け５が第二軸線Ｃ２回りに回転する際の摩擦力、及び肘掛け５のダンパーによる減速力が働くので、座３及び肘掛け５には、回動方向に逆らう向きの力が作用する。また、座３には、駆動部３ｃが肘掛け５の被駆動部５３ｂを滑る際の摺動摩擦が作用する。これにより、座３が座跳ね上げ位置ＰＺ２へ向かって加速することを抑制し、効果的に座の回動速度を減速させることができる。また、複雑な構成を用いずに回動に対向する向きの力を発生させることができるので、減速機構１１を簡素化できる。
したがって、簡素な構成により優れた減速機構１１を備えた椅子１を提供することができる。
【００５７】
本構成によれば、肘掛け５は、一対の脚体２のそれぞれに支持されて一対に配置されているので、座３の幅方向における両端部に位置する駆動部３ｃが肘掛け５に当接する。これにより、座３と肘掛け５とを確実に当接させるとともに、座３の回動速度を効果的に減速できる。
【００５８】
また、被駆動部５３ｂは、座３の回動軌跡内に配置されているので、肘掛け５と座３とを確実に当接させることができる。したがって、座３が肘掛け５に確実に当接する、安定的な連動機構とすることができる。
【００５９】
また、座３の突出部３ｂに駆動部３ｃが設けられるので、座３と肘掛け５とをより確実に当接させることができる。また、座３に設けられた突出部３ｂ及び肘掛け５によって減速作用を奏することができるので、簡素な構成により座３の回動速度を減速する減速機構を備えた椅子１とすることができる。
【００６０】
本構成によれば、突出部３ｂの座面張出し部３ｄ（上面３ｄ）は座面３ａから延びるようにして形成されているので、座面３ａに凹凸等が生じることがなく、着座感を良好に保つことができる。さらに、座面３ａの幅方向の長さが拡張されるので、使用者の着座面積を増やすことができ、着座感を一層良好にすることができる。
【００６１】
また、座３の回転中心である第一軸線Ｃ１と、肘掛け５の回転中心である第二軸線Ｃ２とが略平行となり、座３の回動方向と肘掛け５の回動方向とが略同一となるので、座３の回動による作用力を肘掛け５に効率的に連動させることができる。したがって、優れた連動作用を奏することができる椅子１とすることができる。
【００６２】
また、肘掛け跳ね上げ位置ＰＨ２において、肘掛け５の前部５３ｅを上方に向けることにより、椅子１の前後方向の寸法を小さく抑えることができる。
これにより、複数の椅子１を前後方向へ重ねる（スタッキング又はネスティング）際に、スタッキングされた椅子１全体の寸法を小さくすることができる。
また、例えば天板の高さが変更可能な昇降天板付き什器の下方に椅子１を収容する際に、椅子１を使用者から見て奥側に配置することができる。これにより、使用者が起立状態で作業するときに椅子１が昇降天板付き什器よりも使用者のいる外側に飛び出す範囲を小さく抑えることができる。
【００６３】
次に、本発明に係る第１変形例及び第２変形例について説明する。第１変形例及び第２変形例では、側面から見たときの肘掛け５の形状が上述した実施形態と相違している。以下の説明において、上述した第１実施形態と同様の構成については、同一の符号を付して適宜説明を省略する。
【００６４】
（第１変形例）
図１０は、本発明の第１変形例に係る肘掛け跳ね上げ位置ＰＨ２における肘掛け５の側面図である。図１０に記載された以外の構成に係る符号については、適宜図１から図９を参照されたい。
肘掛け跳ね上げ位置ＰＨ２において、肘掛け５は、側面から見て、被枢支部５１に比べて前部５３ｅが太くなるように、かつ肘掛け下面５３ｂ側に膨出するように形成されている。被枢支部５１は、肘掛け５の重心Ｍよりも長さＬだけ後方側に設けられている。
本構成によれば、肘掛け跳ね上げ位置ＰＨ２において肘掛け５を直立させた場合であっても、被枢支部５１より前方側に肘掛け５の重心Ｍを配置できるので、肘掛け５の自重により肘掛け使用位置ＰＨ１への復帰方向の付勢力を得ることができる。また、肘掛け５を直立させることができるので、座３をより一層大きな角度まで跳ね上げることができ、跳ね上げ状態における椅子１の前後方向の寸法を小さく抑えることができる。
このように、本構成によれば、肘掛け５の形状を変更することにより復帰方向の付勢力を得ることができる。
【００６５】
（第２変形例）
図１１は、本発明の第２変形例に係る肘掛け跳ね上げ位置ＰＨ２における肘掛け５の側面図である。図１１に記載された以外の構成に係る符号については、適宜図１から図９を参照されたい。
肘掛け跳ね上げ位置ＰＨ２において、肘掛け５は、側面から見て矩形状に形成されている。被枢支部５１は、肘掛け５の重心Ｍよりも長さＬだけ後方側に設けられている。
本構成によれば、単純な矩形状の肘掛け５を肘掛け跳ね上げ位置ＰＨ２において直立させた場合であっても、被枢支部５１より前方側に肘掛け５の重心Ｍを配置できるので、肘掛け５の自重により肘掛け使用位置ＰＨ１への復帰方向の付勢力を得ることができる。また、肘掛け５を直立させることができるので、座３をより一層大きな角度まで跳ね上げることができ、跳ね上げ状態における椅子１の前後方向の寸法を小さく抑えることができる。
このように、本構成によれば、被枢支部５１の位置を変更することにより復帰方向の付勢力を得ることができる。
【００６６】
なお、肘掛け使用位置ＰＨ１への復帰方向の付勢力を得る方法として、肘掛け５の形状を変更する方法（第１変形例）及び被枢支部５１の位置を変更する方法（第２変形例）を例に挙げたが、具体的な肘掛け５の形状や被枢支部５１の位置については、適宜変更が可能である。
【００６７】
以上、本発明の好ましい実施例を説明したが、本発明はこれら実施例に限定されることはない。本発明の趣旨を逸脱しない範囲で、構成の付加、省略、置換、およびその他の変更が可能である。本発明は前述した説明によって限定されることはなく、添付の特許請求の範囲によってのみ限定される。
例えば、上述した実施形態では、座３が付勢部材６６を有する場合について説明したが、この構成のみに限られない。付勢部材６６を有さない、座跳ね上げ式の椅子１であってもよい。この場合、椅子を使用した後に着座者が手動で座３を座跳ね上げ位置ＰＺ２まで引き上げる必要があるが、この場合であっても、座３と肘掛け５とが当接することによる肘掛け５の連動作用及び座３の減速作用を奏することができる。
【００６８】
なお、本実施形態では、前脚２０に枢軸挿通部２９が形成された構成としたが、後脚２５の上端に枢軸挿通部２９が形成された構成としてもよい。
【００６９】
また、設置面Ｆは、水平な床面に限らない。脚体２は、傾斜面又は垂直面に設置されてもよい。さらに、脚体２は、設置面にアンカーボルト等により固定された固定椅子であってもよい。
【００７０】
また、背凭れ４はリクライニング式であってもよい。なお、背凭れ４はなくてもよい。
【００７１】
本実施形態では、肘掛け５が脚体２の上端に取り付けられた構成としたが、これに限らない。肘掛け５は、背凭れ４に支持されていてもよい。すなわち、椅子１の支持構造体１０のいずれかに支持される構成であればよい。
また、肘掛け５は幅方向の一方側にのみ設けられていてもよい。
【００７２】
また、脚体２の枢軸挿通部２９に肘掛け５の下方への回動速度を減速するためのダンパーが設けられる構成としたが、ダンパーは例えば肘掛け５の被枢支部５１に設けられてもよい。また、ダンパーはなくてもよい。
【００７３】
本実施形態では、座３は、肘掛け５が肘掛け使用位置ＰＨ１から肘掛け跳ね上げ位置ＰＨ２へ回動するストロークにおいて常に肘掛け５と当接する構成としたが、肘掛け５のストロークのうちの一部において当接する構成としてもよい。例えば、座３が座跳ね上げ位置ＰＺ２で停止した状態から、肘掛け５のみがさらに上方へ回動可能に構成されていてもよい。
【００７４】
また、第二軸線Ｃ２は、第一軸線Ｃ１に対して角度をもっていてもよい。
【００７５】
また、本実施形態では、座３に突出部３ｂが設けられる構成としたが、肘掛け５に座３に向かって突出する突出部が設けられている構成としてもよい。
また、座３の駆動部３ｃは肘掛け下面５３ｂに当接して肘掛け５を押し上げる構成としたが、これに限らない。座３は、肘掛け５の角部又は肘掛け内側面５３ｃに当接又は接触することにより、肘掛け５を上方へ連動可能な構成としてもよい。
さらに、本実施形態では突出部３ｂが座面３ａと一体とされたが、例えば座３の下面に幅方向へ突出する棒状の部材を取り付ける等、座３と別部材の突出部が設けられていてもよい。
【００７６】
また、座３の駆動部３ｃ及び肘掛け５の被駆動部５３ｂはそれぞれ磁石を備え、磁石の反発力により非接触で連動する構成としてもよい。
【００７７】
なお、付勢部材６６は渦巻ばね６６に限らない。例えばコイルばね、板バネ等の弾性部材や、ガススプリング等の付勢力を生じさせる部品により構成されていてもよい。
また、肘掛け５を肘掛け使用位置ＰＨ１へ回動させる向きに力を付勢するバネが設けられてもよい。この場合、肘掛け５には、自重及びバネにより肘掛け使用位置ＰＨ１への復帰方向の付勢力が作用し、この付勢力の大きさは、座跳ね上げ位置ＰＺ２に付勢された座から受ける肘掛け跳ね上げ位置ＰＨ２への付勢力の大きさと比べて同一又は小さい。
【００７８】
その他、本発明の趣旨を逸脱しない範囲で、上述した実施形態における構成要素を周知の構成要素に置き換えることは適宜可能である。
【符号の説明】
【００７９】
１  椅子
２  脚体
３  座
３ａ  座面
３ｂ  突出部
３ｃ  駆動部
３ｄ  上面（座面張出し部）
４  背凭れ
５  肘掛け
６  座回動機構
１０  支持構造体
１１  減速機構
２０  前脚（脚部材）
２５  後脚（脚部材）
５３ａ  肘載せ面（肘掛け上面）
５３ｂ  被駆動部（肘掛け下面）
５３ｅ  前部
６６  付勢部材
Ｃ１  第一軸線
Ｃ２  第二軸線
ＰＺ１  座使用位置
ＰＺ２  座跳ね上げ位置
ＰＨ１  肘掛け使用位置
ＰＨ２  肘掛け跳ね上げ位置
【図１】
2020028664.tif 000003
【図２】
2020028664.tif 000004
【図３】
2020028664.tif 000005
【図４】
2020028664.tif 000006
【図５】
2020028664.tif 000007
【図６】
2020028664.tif 000008
【図７】
2020028664.tif 000009
【図８】
2020028664.tif 000010
【図９】
2020028664.tif 000011
【図１０】
2020028664.tif 000012
【図１１】
2020028664.tif 000013